(57)【要約】 【課題】  必要な設備の合計量のサイズおよび複雑さを増加させずに、複数のＤＮＡのモニタリングと解析を調節を容易にすることにより、ネットワークから大量のデータを同時にモニタリングし解析することができる装置を提供すること。【解決手段】複数の低速線１００１、・・１００ｎ、１００１、・・１００ｎ上で搬送されているネットワーク内の異なるリンクからのネットワークデータを、高速線上で搬送されているデータストリームに集中するマルチポートコンセントレータ１１０と、前記高速線１２０が搬送するデータストリームからネットワーク統計値を決定する測定システム１３０とを備える装置。  【選択図】図２
2006229946.tif 000002
【特許請求の範囲】
【請求項１】
複数の低速線上で搬送されているネットワーク内の異なるリンクからのネットワークデータを、高速線上で搬送されているデータストリームに集中するマルチポートコンセントレータと、
前記高速線が搬送するデータストリームからネットワーク統計値を決定する測定システムとを備える装置。
【請求項２】
前記マルチポートコンセントレータは、
前記ネットワーク内の異なるリンクを前記コンセントレータに接続する複数のラインインタフェースであって、各ラインインタフェースは前記ネットワークデータからテレメトリデータを収集する電力計を含む複数のラインインタフェースと、
前記ネットワークデータを同期化し、前記同期化したデータを組み合わせ、前記組み合わされたデータをデフレームし、前記組み合わされたデータから追加のテレメトリデータを収集し、前記デフレームしたデータとテレメトリデータと追加のテレメトリデータとにタグをつけ、前記タグをつけたデータと前記電力計によって収集したテレメトリデータと前記ＦＰＧＡによって収集した追加のテレメトリデータとをＳＯＮＥＴ／ＳＤＨフレーム構造にフレーム化するフィールドプログラマブルゲートアレイ（ＦＰＧＡ）と、
前記フレーム化したデータをシリアライズするシリアライザと、
前記シリアライズされたデータを光信号に変換する電気光変換モジュールであって、前記光信号は前記高速線上で搬送されるデータストリームである電気光変換モジュールとを備え、
前記マルチポートコンセントレータは前記複数の低速線の各々が搬送するネットワークデータに関連するテレメトリデータを前記高速線上で搬送されるデータストリームに挿入する請求項１に記載の装置。
【請求項３】
前記測定システムは、ラインインタフェースモジュールまたは分散ネットワークアナライザのうち少なくとも１つを備え、前記ラインインタフェースモジュールは、
前記高速線上で搬送されるデータストリームを電気信号に変換する光電気変換モジュールと、
前記データストリームをデシリアライズするデシリアライザと、
複数のデータストリームを抽出するストリームエクストラクタであって、各抽出されたストリームがネットワーク内の１つのリンク上で搬送されるネットワークデータとテレメトリデータとを含むストリームエクストラクタと、
コンピュータが解析するために前記データストリーム内に挿入されたテレメトリデータを収集する統計値ギャザラーとを備える請求項１に記載の装置。
【請求項４】
前記ラインインタフェースモジュールはさらに、
前記抽出されたデータストリームをセルにアセンブルするマルチストリームＨＥＣデリニエータと、
ＡＴＭ上でアセンブルされたセルを逆多重化する逆マルチプレクサと、
前記セルを単一のネットワークアナライザで解析するためにパケットに逆アセンブルする逆アセンブラとを備える請求項３に記載の装置。
【請求項５】
前記ラインインタフェースモジュールはさらに、前記抽出されたデータストリームを単一のネットワークアナライザによって解析するためにパケットにグループ化するマルチストリームＨＤＬＣとＴＲＡＵフレーマを備える請求項３に記載の装置。
【請求項６】
前記マルチポートコンセントレータはリモートに位置し、前記集中データストリームは前記ネットワークによって搬送され、前記測定システムはローカルに位置する請求項１に記載の装置。
【請求項７】
複数の低速線上で搬送されるネットワーク内の異なるリンクからの複数のネットワークデータを、高速線上で搬送されるデータストリームに集中することと、
前記高速線上で搬送される単一のデータストリームを分解することと、
前記抽出されたネットワークデータを使用して単一の分散ネットワークアナライザで前記異なるリンクからのネットワークデータを同時に解析することとを含む方法。
【請求項８】
前記集中することは、
前記複数の各低速線からテレメトリデータを収集することと、
前記ネットワークデータを同期化することと、
前記同期化されたデータを組み合わせることと、
前記組み合わされたデータをデフレームすることと、
前記デフレームされたデータと収集されたテレメトリデータとにタグをつけることと、
前記タグをつけたデータと収集されたテレメトリデータをＳＯＮＥＴ／ＳＤＨフレーム構造にフレーム化することとを含む請求項７に記載の方法。
【請求項９】
前記分解することは、
前記高速線上で搬送されたデータストリームをデシリアライズすることと、
前記単一のデータストリームから複数のデータストリームを抽出することであって、各抽出されたストリームがネットワーク内の１つのリンクで搬送されるネットワークデータを含む、複数のデータストリームを抽出することとを含み、
前記複数のデータストリームを抽出することはさらに、コンピュータによって解析するために、収集されたテレメトリデータを抽出することを含む請求項７に記載の方法。
【発明の詳細な説明】
【技術分野】
【０００１】
本発明は、マルチポートプロトコル解析とモニタリングのための装置および方法に関する。
【背景技術】
【０００２】
分散ネットワークアナライザ（以下、ＤＮＡともいう）は、ネットワークからのデータを解析するために使用される。一般にＤＮＡは、ラインインタフェースモジュール（以下、ＬＩＭともいう）を介してネットワークからデータを受信する。しかしＬＩＭの大きさは、ＬＩＭがネットワークからデータを受信するために物理的に使用可能な入力の数を限定する。したがって、それぞれのＤＮＡはＬＩＭによる入力制限があるため、比較的少量のデータを受信し解析することしかできない。この結果、ネットワークから大量のデータを解析するために複数のＬＩＭとＤＮＡが必要である。
【０００３】
たとえば、図１は、ネットワークから大量のデータを受信し解析するための従来のＤＮＡの使用法を示す図である。ここで図１を参照すると、複数のＬＩＭ１０、１１、１２、１３はそれぞれ、ネットワークからデータを搬送する複数の線１、２、３、４を受信する。ＤＮＡ２０、２１、２２、２３はそれぞれ、ＬＩＭ１０、１１、１２、１３からデータを受信する。典型的には、線１、２、３、４が搬送するデータはネットワーク内の複数のリンクからのデータである。
【発明の開示】
【発明が解決しようとする課題】
【０００４】
ネットワークから大量のデータを同時にモニタリングし解析することが望ましい。しかし、複数のＬｌＭとＤＮＡの使用は高価である。さらに、複数のＬＩＭおよびＤＮＡの使用は、必要な設備の合計量のサイズおよび複雑さを増加させる。さらに、複数のＤＮＡのモニタリングと解析を調節することは困難である。
【課題を解決するための手段】
【０００５】
上記課題を解決する装置は、複数の低速線上で搬送されているネットワーク内の異なるリンクからのネットワークデータを、高速線上で搬送されているデータストリームに集中するマルチポートコンセントレータ（concentrator,集信装置、集線装置）と、前記高速線が搬送するデータストリームからネットワーク統計値を決定する測定システムとを備える。
【０００６】
上記課題を解決する方法は、複数の低速線上で搬送されるネットワーク内の異なるリンクからの複数のネットワークデータを、高速線上で搬送されるデータストリームに集中することと、前記高速線上で搬送される単一のデータストリームを分解することと、前記抽出されたネットワークデータを使用して単一の分散ネットワークアナライザで前記異なるリンクからのネットワークデータを同時に解析することとを含む。
【発明を実施するための最良の形態】
【０００７】
本発明の目的および利点は、付随する図面と共に以下の好ましい実施形態の説明からより明らかとなり、よりよく理解できるであろう。
【０００８】
次に本発明の好ましい実施形態について詳細に参照する。実施形態の例は付随する図面に示されており、図を通じて同様な参照番号は同様な要素を示す。
【０００９】
図２は、本発明の１実施形態による、測定システムによって処理するために複数の電気信号を集中させる装置を示す構成図である。図２を参照すると、低速線１００１・・・１００ｎ、１０１１・・・１０１ｎは、ネットワークの異なるリンクからネットワークデータを搬送する。たとえば、低速線はＴ１ラインまたはＥｌラインであってよい。しかし、本発明は、線が特定の速度／レートであることに限定するものではなく、また、任意の特定のプロトコルで動作することに限定するものではない。
【００１０】
マルチポートコンセントレータ１１０は、低速線１００１・・・１００ｎ、１０１１・・・１０１ｎが搬送するネットワークデータを、高速線１２０が搬送するデータストリームに集中する。高速線１２０は、それぞれの低速線１００１・・・１００ｎ、１０１１・・・１０１ｎの帯域幅より広い帯域幅を有する。たとえば、低速線１００１・・・１００ｎ、１０１１・・・１０１ｎがＴ１ラインまたはＥ１ラインであり、それぞれ１．５４４Ｍｂｐｓと２．０４８Ｍｂｐｓを搬送できる場合、高速線１２０はＯＣ−１２ラインであり、６２２．０８Ｍｂｐｓを搬送することができる。しかし、本発明の高速線１２０は、特定の速度／レートであることに限定されるものではなく、また、任意の特定のプロトコルで動作することに限定されるものではない。さらに本発明のマルチポートコンセントレータ１１０は、図２に示すような任意の特定数の線を受信することに限定されるものではない。
【００１１】
ついで測定システム１３０は、高速線１２０が搬送する集中ネットワークデータからネットワーク統計値を決定する。
【００１２】
図３は、本発明の実施形態による、測定システムによって処理するために複数の低速線を集中させるより詳細な装置を示す構成図である。図３を参照すると、複数の低速線１００１・・・１００ｎ、１０１１・・・１０１ｎは、ネットワーク内の異なるリンクからネットワークデータを搬送する。たとえば、低速線１００１・・・１００ｎ、１０１１・・・１０１ｎはＴ１ラインまたはＥ１ラインであってもよい。しかし、本発明の低速線は特定の速度／レートであることに限定されるものではなく、また、任意の特定のプロトコルで動作することに限定されるものではない。さらに図３に示すように、本発明の装置は、任意の特定数の低速線に限定されるものではない。
【００１３】
マルチポートコンセントレータ１１０は、低速線１００１・・・１００ｎ、１０１１・・・１０１ｎが搬送するネットワーク内の異なるリンクからのネットワークデータを、高速線１２０と１２５に集中させる。高速線はＯＣ−１２ラインであってよい。高速線１２０と１２５は、それぞれの低速線１００１・・・１００ｎ、１０１１・・・１０１ｎの帯域幅より大きな帯域幅を有する。たとえば、低速線１００１・・・１００ｎ、１０１１・・・１０１ｎがＴ１ラインまたはＥ１ラインであり、それぞれ１．５４４Ｍｂｐｓと２．０４８Ｍｂｐで搬送できる場合、高速線１２０と１２５はＯＣ−１２ラインであり、６２２．０８Ｍｂｐｓで搬送することができる。しかし、本発明の高速線１２０と１２５は、特定の速度／レートであることに限定されるものではなく、また、任意の特定のプロトコルで動作することに限定されるものではない。さらに、図３は２つの低速線のグループが２本の高速線に集中されているところを示すが、本発明は任意の特定の数の低速線と高速線に限定されるものではなく、また任意の特定の数のグループ分けに限定されるものではない。
【００１４】
さらに、マルチポートコンセントレータ１１０は、１つのポートをベースに各低速線１００１・・・１００ｎ、１０１１・・・１０１ｎからテレメトリデータ（telemetry data,遠隔測定データ）を収集することができる。収集したテレメトリデータはたとえば、それぞれの低速線に関する、ラインコード違反、サイクリック冗長検査（ＣＲＣ）エラー、リモートエラー指示（ＲＥＩ）カウント、信号損失（ＬＯＳ）、フレーム外（ＯＯＦ）データ、アラーム指示信号（ＡＩＳ）、リモート欠陥指示（ＲＤＩ）などの統計とアラームを含んでいてもよい。マルチポートコンセントレータ１１０は、ポートごとのベースでこれらのエラーを集中データストリームに挿入する。これらの統計値とアラームはよく知られている。本発明のテレメトリデータはこれらの統計値とアラームに限定されるものではない。
【００１５】
集中データストリームはＳＯＮＥＴ／ＳＤＨフレーム構成にフレーム化される。たとえば、ネットワークデータをＯＣ−１２ラインへ多重化する場合、集中データストリームはＯＣ−１２フレームにフレーム化される。しかし、本発明はＯＣ−１２フレームの使用に限定されない。さらに、集中データは非同期転送モード（ＡＴＭ）セルまたはハイレベルデータリンク制御（ＨＤＬＣ）フレーム、またはトランスコーダとレート適応ユニット（ＴＲＡＵ）フレームとして構成することもできる。マルチポートコンセントレータ１１０は、ＳＯＮＥＴ／ＳＤＨフレーム構成により、既存のＳＯＮＥＴ／ＳＤＨネットワーク上で送信できる集中データストリームを生成することができる。しかし本発明のフレーム構成は、ＳＯＮＥＴ／ＳＤＨネットワーク上での送信に適したＯＣ−１２フレームに限定されるものではない。
【００１６】
さらに、リモートリンク（remote link）１４０は、測定システム１３０を使用した低速線１００１・・・１００ｎ、１０１１・・・１０１ｎのインタフェースタイプのリモート制御を可能にする。たとえばインタフェースタイプは、Ｔ１またはＥ１として構成することができる。異なるタイプのデジタル送信リンクが知られている。さらに、マルチポートコンセントレータ１１０は、測定システム１３０からこのリモートリンク１４０を使用してアップグレードできるソフトウェアを含む。
【００１７】
測定システム１３０は、集中データストリームを搬送する高速線１２０と１２５を受信し、複数のデータストリームを抽出する。抽出された各データストリームは、ネットワーク内の１つの低速線上で搬送されるネットワークデータと、この線に対応するテレメトリデータとを含む。ついで単一の測定システムは、ネットワーク内の異なるリンクからのネットワークデータを解析できる。測定システム１３０は、テレメトリデータの解析のためにコンピュータ１５０に接続され、たとえば、パーソナルコンピュータまたは携帯型コンピュータであってよいが、任意の特定のタイプのコンピュータに限定されるものではない。
【００１８】
図４は、本発明の１実施形態による、さらに詳細なマルチポートコンセントレータ１３０を示す構成図である。図４に示すように、複数の低速線１００１・・・１００ｎ、１０１１・・・１０１ｎはラインインタフェース２００１・・・２００ｎ、２０１１・・・２０１ｎがそれぞれ受信する。複数のラインインタフェース２００１・・・２００ｎ、２０１１・・・２０１ｎは電力計（ＰＭ）２１０１・・・２１０ｎ、２１１１・・・２１１ｎをそれぞれ含む。電力計２１０１・・・２１０ｎ、２１１１・・・２１１ｎは低速線１００１・・・１００ｎ、１０１１・・・１０１ｎをそれぞれ測定する。パワー測定はよく知られている。パワー測定値はテレメトリデータの一部として収集される。たとえば複数の低速線１００１・・・１００ｎ、１０１１・・・１０１ｎの各々の光パワーは、ネットワークに伴う問題を示すことができる重要なレベル１の測定値である。ラインインタフェース内のパワーの測定が示す可能性がある問題の例は、過剰な接続ロス、接続の改ざん、ソース出力レベルの低下などを含んでいてもよい。さらに、パワー測定は複数の低速線１００１・・・１００ｎ、１０１１・・・１０１ｎの各々について行われるので、問題が検出されれば、問題を起こしている低速線にトレースすることができる。
【００１９】
図４に示すように、クロックとデータ２２０を使用して複数の電気信号を搬送する。ついで電気信号はフィールドプログラマブルゲートアレイ（ＦＰＧＡ）２３０に集中される。ＦＰＧＡ２３０は、多重化されたデータを、同期光ネットワーク（ＳＯＮＥＴ）／同期デジタルハイアラーキ（ＳＤＨ）フレーム構造にフレーム化する。ＦＰＧＡ２３０により、テレメトリデータをポートごとのベースで集中データストリームに挿入することができる。したがって、低速線に対応する集中ネットワークデータとテレメトリデータは両方とも同じ高速線によって搬送できる。
【００２０】
図４は２グループの低速線の多重化を示す。たとえば図４は、低速線の第１のグループ１００１・・・１００ｎをＳＯＮＥＴ／ＳＤＨ電気信号２３５に集中し、低速線１０１１・・・１０１ｎの第２のグループをＳＯＮＥＴ／ＳＤＨ電気信号２３６に集中するところを示す。ついで、ＳＯＮＥＴ／ＳＤＨ電気信号２３５と２３６は、それぞれシリアライザ（serializer）２４０と２４１でシリアライズされる。ＳＯＮＥＴ／ＳＤＨ電気信号２３５と２３６はシリアライズ(serialize,連番付与、一連に並ば)され、ＳＯＮＥＴ／ＳＤＨ電気信号の各々が搬送するデータは２本の光ファイバ１２０と１２５によってそれぞれ搬送される。シリアライズされた電気信号２３５と２３６はそれぞれ、電気光変換モジュール２５０と２５１内でＳＯＮＥＴ／ＳＤＨ電気信号から光信号に変換される。
【００２１】
ＯＣ−１２ラインであってもよい高速線１２０と１２５は、Ｔ１ラインまたはＥ１ラインなどの複数の低速線１００１・・・１００ｎ、１０１１・・・１０１ｎが搬送していたネットワークデータと、挿入されたテレメトリデータを搬送する。高速線１２０と１２５は、低速線１００１・・・１００ｎ、１０１１・・・１０１ｎの帯域幅よりも大きな帯域幅を有する。たとえば、低速線１００１・・・１００ｎ、１０１１・・・１０１ｎがＴ１ラインまたはＥ１ラインであり、それぞれ１．５４４Ｍｂｐｓまたは２．０４８Ｍｂｐｓを搬送できる場合、高速線１２０と１２５は６２２．０８Ｍｂｐｓを搬送できるＯＣ−１２ラインであってもよい。しかし本発明の高速線１２０と１２５はＯＣ−１２ラインに限定されるものではない。
【００２２】
さらに図４に示すように、リモートリンク１４０は、測定システム１３０を使用して低速線１００１・・・１００ｎ、１０１１・・・１０１ｎのインタフェースタイプのリモート制御を可能にする。インタフェースタイプはたとえばＴ１またはＥ１として構成することができる。しかし、本発明は任意の特定のインタフェースタイプに限定されるものではない。異なるタイプのデジタル送信リンクが知られている。さらに、マルチポートコンセントレータソフトウェアは、このリモートリンク１４０を使用して測定システム１３０からアップグレードすることができる。
【００２３】
図５は、本発明の１実施形態による、より詳細なＦＰＧＡ２３０を示す構成図である。より具体的には、図５は、ＦＰＧＡ２３０が選択されてＡＴＭネットワーク上での送信に適したデータストリームを生成するときの、ＦＰＧＡ２３０の詳細な説明を提供する。
【００２４】
ＦＰＧＡ２３０は、電気信号２２５１・・・２２５ｎ、２２６１・・・２２６ｎをラインインタフェース２００１・・・２００ｎ、２０１１・・・２０１ｎからそれぞれ受信する。たとえば、本発明が、各グループが４つの低速線を含む２グループの低速線を集中するようになっている場合、図５に示すＦＰＧＡ２３０の構造を繰り返して、追加の低速線に対応する。本発明のマルチプレクサは、特定の数の低速線を多重化することに限定されるものではない。
【００２５】
ついで、シンクロナイザ（synchronizer,同期装置）２６０１、２６０２、２６０３、２６０４はローカルクロックドメイン(local clock domain)にしたがって電気信号２２５１、２２５２、２２５３、２２５４を同期化する。電気信号の同期化は当業界で知られている。ついで、同期化された電気信号２２５１、２２５２、２２５３、２２５４を、コンバイナ（combiner,連結器）２７０内で単一のデータストリームにインタリーブ（interleave）する。同期化電気信号をインタリーブするプロセスはよく知られている。電気信号２２５１、２２５２、２２５３、２２５４が単一のデータストリームに組み合わせられるので、ＦＰＧＡ２３０内の処理のコスト効果が改善する。
【００２６】
デフレーマ(deframer)２８０は、データストリームによって搬送されるペイロードを識別するデータストリームのフレーミングパターン(framing pattern)を検出する。Ｔ１とＥｌのフレーミングパターン、およびＴ１とＥｌのフレーミングパターンを検出するプロセスはよく知られている。さらに、デフレーマ２８０は、各低速線について、ラインコード違反、サイクリック冗長性検査（ＣＲＣ）エラー、リモートエラー指示（ＲＥＩ）カウント、信号損失（ＬＯＳ）、フレーム外（ＯＯＦ）データ、アラーム指示信号（ＡＩＳ）、リモート欠陥指示（ＲＤＩ）などの統計値とアラームを検出する。これらの統計値とアラームはよく知られており、テレメトリデータ３００に含まれる。
【００２７】
デフレーマ２８０が検出したフレーミングパターンがたとえばＴ１フレーミングパターンである場合、バイトアライナ（byte aligner）２９０は同時に各１９３ビットＴ１フレームをとり、これらを２５バイトフレームに変換する。ここでフレーミングビットは完全バイトにパディングされる。ついでタガー（tagger）３１０は２バイトタグをアライメント(aligned,位置合わせ)されたＴ１バイトの各々につける。これらの２バイトタグは各々、６ビットバイト番号、６ビットポート番号、それぞれのポート番号に関する４ビットのテレメトリデータ３００を含む。したがって、タガー３１０はアライメントされた各Ｔ１バイトを３バイトトリプレット（byte triplet）に変換する。これらの３バイトトリプレットはエラスティックストア(elastic store)３２０に記憶され、ＯＣ−１２フレームへの挿入は保留される。ついでバイトインサータ（byte inserter,バイト挿入装置）３３０は、９ｘ１０４４バイトＳＴＳ１２ｃ−ｓｐｅ／ＶＣ４−４ｃにバイトトリプレットを挿入する。その後、ＯＣ−１２フレーマ３４０は、所有権上の（proprietary）フレームを９ｘ１０４４バイトＳＴＳ１２ｃ−ｓｐｅ／ＶＣ４−４ｃの周辺に置く。フレーム内で使用されないバイトを使用して、構成に関する情報など他の情報を転送することができる。
【００２８】
デフレーマ２８０が検出したフレーミングパターンがＥ１フレーミングパターンである場合、バイトアライナ２９０は不必要である。タガー３１０は各Ｅ１のすべてのバイトごとに２バイトタグをつける。タガー３１０がつける２バイトタグは、６ビットバイト番号、６ビットポート番号、それぞれのポート番号に関する４ビットのテレメトリデータ３００を含む。したがってタガー３１０は各Ｅ１バイトを３バイトトリプレットに変換する。これらの３バイトトリプレットはエラスティックストア３２０に記憶され、ＯＣ−１２フレームへの挿入は保留される。ついでバイトインサータ３３０は、バイトトリプレットを、９ｘ１０４４バイトＳＴＳ−１２ｃ／ＡＵ４−４ｃに挿入する。トリプレットはＨ３バイトに続く第１のバイトから開始し、他の方法では経路オーバヘッド（overhead）になるものをオーバライト(overwrite,上書き)する。これらの３バイトトリプレットはエラスティックストア３２０に記憶され、ＯＣ−１２フレームへの挿入は保留される。ついでバイトインサータ３３０は、バイトトリプレットを９ｘ１０４４バイトＳＴＳ−１２ｃ／ＡＵ４−４ｃに挿入する。
【００２９】
図５は、特定のＳＯＮＥＴ／ＳＤＨプロトコルで示すコンバイナ、デフレーマ、バイトアライナ、タガー、エラスティックストア、バイトインサータ、ＯＣ−１２フレーマを示す。しかし本発明は、コンバイナ、デフレーマ、バイトアライナ、タガー、エラスティックストア、バイトインサータ、ＯＣ−１２フレーマが任意の特定のプロトコルに基づいていることに限定されるものではない。
【００３０】
図６は、本発明の１実施形態によるより詳細なラインインタフェースモジュール（ＬＩＭ）を示す構成図である。より具体的には、図６は集中データストリームがＡＴＭネットワーク上での転送用に構成されているときの、集中データストリームの分解を示す。図６は単一の高速線１２０を受信するのに適したＬＩＭを示しているが、本発明のＬＩＭは、単一の高速線を受信することには限定されない。たとえば高速線１２０と１２５がマルチポートコンセントレータ１１０から受信される場合、図６に示す構造を二重にして２本の高速線に対応することができる。
【００３１】
高速光回線１２０はＬＩＭの光電気変換モジュール３４５に入力され、このモジュールは高速光回線が搬送する信号を電気信号に変換する。ついで、デシリアライザ（deserializer,直並列変換器）３５０は変換された電気信号をデシリアライズする。ついで、デフレーマ３６０はデシリアライズ（deserialize,非直列化）された電気信号をデフレームし、ペイロードを抽出する。ついで、ストリームエクストラクタ（extractor,抽出機）３７０は複数のデータストリームとテレメトリデータをペイロードから抽出する。各抽出されたストリームは低速線が搬送するネットワークデータに対応する。抽出されたストリームは、ネットワークデータが低速線によって搬送されていたときの元の形態を表す。さらに、抽出されたストリームとテレメトリデータ３００はタイムスタンパ３８０によってタイムスタンプすることができる。しかしタイムスタンプは必ずしも必要ではない。抽出されたテレメトリデータ３００は、コンピュータ１５０によってさらに処理するために、統計値ギャザラー（gatherer）４２０に送信される。コンピュータ１５０はたとえば、パーソナルコンピュータ、または携帯型コンピュータであってよい。マルチストリームＨＥＣデリニエータ（multi-stream HEC delineator）３９０は、抽出されたデータストリームをたとえば５３バイトセル４００に構成する。これは図６に示す。
【００３２】
また図６に示すように、逆マルチプレクサ４１０はセル４００を逆多重化することができる。たとえばデータ４００は非同期転送モード（ＡＴＭ）で逆多重化される。これはＩＭＡとしても知られているプロセスである。しかし、本発明はよく知られたプロセスであるＩＭＡまたはＡＴＭに限定されるものではない。ＩＭＡが行われても、データは５３バイトのセルのままである。さらに、図６のバイパス線４１５が示すように、逆多重化はまったく行わなくてもよい。ついで、逆アセンブラ４３０は逆多重化されたデータを逆アセンブルするか、または、逆マルチプレクサ４１０がバイパスされるかまたは提供されなかった場合、マルチストリームＨＥＣデリニエータ３９０からのセルをパケット４４０に逆アセンブルする。逆アセンブラ４３０は５３バイトセルの４８バイトペイロードを、ＡＡＬ−２またはＡＡＬ−５などのＡＴＭ適応層プロトコル（ＡＡＬ）を使用してパケット４４０に逆アセンブルする。このプロトコルはよく知られている。しかし本発明はこのプロトコルに限定されるものではない。さらに逆アセンブルされたパケット４４０の長さは変わりうる。ついでこれらの逆アセンブルされたパケット４４０は分散ネットワークアナライザ（ＤＮＡ）によって解析することができる。
【００３３】
さらにＬＩＭでは、集中データストリームに挿入されたテレメトリデータ３００は、統計値ギャザラー４２０によって、ストリームエクストラクタ３７０、逆マルチプレクサ４１０、逆アセンブラ４３０から抽出、収集される。統計値ギャザラー４２０が収集した統計値は、コンピュータ１５０によって処理される。コンピュータ１５０は、たとえばパーソナルコンピュータ、携帯型コンピュータであってよく、任意の特定のタイプのコンピュータに限定されない。
【００３４】
図７は、本発明の１実施形態による、さらに詳細なラインインタフェースモジュール（ＬＩＭ）を示す構成図である。より具体的には、図６は、集中データストリームがＨＤＬＣパケットまたはＴＲＡＵパケットとして構成される場合の集中データストリームの分解を示す。図７は単一の高速線１２０を受信するのに適したＬＩＭを示しているが、本発明のＬＩＭは単一の高速線を受信することに限定されない。たとえば、高速線１２０と１２５がマルチポートコンセントレータ１１０から受信される場合、図７に示す構造を二重にして２本の高速線に対応する。
【００３５】
この実施形態によれば、高速光回線１２０はＬＩＭの光電気変換モジュール４６０に入力され、光電気変換モジュール４６０は高速光回線が搬送する信号を電気信号に変換する。ついでデシリアライザ４７０は変換された電気信号をデシリアライズする。ついで、デフレーマ４８０はデシリアライズされた電気信号をデフレームして、ペイロードを抽出する。ついでストリームエクストラクタ４９０は、ペイロードから複数のデータストリームとテレメトリデータを抽出する。各抽出されたストリームは低速線が搬送するネットワークデータに対応する。抽出されたストリームはネットワークデータを、低速線が搬送する元の形態で表す。さらに、抽出されたストリームとテレメトリデータ３００はタイムスタンパ５００によってタイムスタンプされる。しかしタイムスタンプは必ずしも必要というわけではない。抽出されたテレメトリデータ３００は、さらにコンピュータ１５０によって処理するために、統計値ギャザラー５２０に送られる。コンピュータ１５０はたとえばパーソナルコンピュータまたは携帯型コンピュータであってよい。ついで図７に示すように、マルチストリームＨＤＬＣとＴＲＡＵフレーマ５１０は抽出されたデータストリームをパケット５３０に構成する。このプロトコルはよく知られている。
【００３６】
さらにＬＩＭでは、集中データストリームに挿入されたテレメトリデータ３００は、統計値ギャザラー５２０によってストリームエクストラクタ４９０とマルチストリームＨＤＬＣとＴＲＡＵフレーマ５１０から抽出および収集される。統計値ギャザラー５２０が収集した統計値はコンピュータ１５０によって処理される。コンピュータ１５０は、たとえばパーソナルコンピュータまたは携帯型コンピュータであってよく、任意の特定のタイプのコンピュータに制限されない。
【００３７】
図８は、本発明の１実施形態による、単一のラインインタフェースモジュールによって処理するために複数の電気信号を集中させる装置を示す構成図である。図８に示すように、この装置はマルチポートコンセントレータ１１０を含む。マルチポートコンセントレータ１１０は、複数の低速線１００１・・・１００ｎ、１０１１・・・１０１ｎと、ラインインタフェースモジュール５５０を受信する。図３により詳細に示すマルチポートコンセントレータ１１０は、複数の低速線１００１・・・１００ｎ、１０１１・・・１０１ｎ上で搬送されるネットワーク内の異なるリンクからのデータを、高速線１２０と１２５が搬送する集中データストリームに集中する。図６と図７に詳細な例を示すＬＩＭ５５０は、複数のデータストリームとテレメトリデータを抽出し、データストリームをセルにパッケージし、さらに解析するためにセルネットワークデータを逆アセンブルする。
【００３８】
上記によれば、本発明は複数の低速線上で搬送されるネットワーク内の異なるリンクからの複数のネットワークデータを、高速線上で搬送されるデータストリームに集中し、集中データストリームを分解し、同時に、分解されたネットワークデータを使用して単一の測定システムで異なるリンクからのネットワークデータを解析する方法を提供する。
【００３９】
本発明では、ＯＣ−１２ラインなど１つまたは複数の高速線を介して測定システム１３０に接続できる限り、マルチポートコンセントレータ１１０のリモート（の配置が可能である。さらに、複数の光入力を同時に解析するために必要な装置が減るので、本発明は低コストのマルチポートプロトコル解析とモニタリングを可能にする。さらに、本発明は既存の測定システムを使用した多数の入力の解析とモニタリングを可能にするので、既存の解析モニタリングシステムの柔軟性を向上させる。さらに、図６と図７に示すように、マルチポートコンセントレータ１１０は、モニタリングされているネットワークを含む既存のネットワークを介して測定システム１３０に接続できるので、本発明ではリモートの場所で大量のデータの解析とモニタリングが可能である。
【００４０】
本明細書では種々のプロトコルと標準を説明した。しかし本発明は、任意の特定のプロトコルおよび／または標準に限定されるものではない。
【００４１】
本発明のいくつかの好ましい実施形態を示し、説明したが、当業者であれば、付随する請求項および請求項の等価物に範囲が定義される本発明の原理と精神から離れることなく、これらの実施形態に変更を加えることが可能であることを理解されるであろう。
【図面の簡単な説明】
【００４２】
【図１】（関連技術）ネットワークから大量のデータを受信し解析するための従来のＬＩＭとＤＮＡの使用法を示す図である。
【図２】本発明の１実施形態による、測定システムで処理するために複数の電気信号を集中させる装置を示す構成図である。
【図３】本発明の１実施形態による、測定システムで処理するために複数の低速線を集中させるより詳細な装置の構成図である。
【図４】本発明の１実施形態による、より詳細なマルチポートコンセントレータの構成図である。
【図５】本発明の１実施形態による、より詳細なフィールドプログラマブルゲートアレイ（ＦＰＧＡ）の構成図である。
【図６】本発明の１実施形態による、より詳細なラインインタフェースモジュール（ＬＩＭ）の構成図である。
【図７】本発明の１実施形態による、より詳細なラインインタフェースモジュール（ＬＩＭ）の構成図である。
【図８】本発明の１実施形態による、単一のラインインタフェースモジュールによって処理するために複数の電気信号を集中させる装置を示す構成図である。
【符号の説明】
【００４３】
１００、１０１  低速線
１１０  マルチポートコンセントレータ
１２０  高速線
１２５  高速線
１３０  測定システム
１４０  リモートリンク
１５０  コンピュータ
２００、２０１  ラインインタフェース
２１０  電力計
２２０  クロックとデータ
２２５  電気信号
２３０  フィールドプログラマブルゲートアレイ
２３５、２３６  ＳＯＮＥＴ／ＳＤＨ  電気信号
２４０、２４１  シリアライザ
２５０  電気光変換モジュール
２５１  電気光変換モジュール
２６０  シンクロナイザ
２７０  コンバイナ
２８０  デフレーマ
２９０  バイトアライナ
３００  テレメトリデータ
３１０  タガー
３２０  エラスティックストア
３３０  バイトインサータ
３４０  ＯＣ−１２フレーマ
３４５  光電気変換モジュール
３５０  デシリアライザ
３６０  デフレーマ
３７０  ストリームエクストラクタ
３８０  タイムスタンパ
３９０  マルチストリームＨＥＣデリニエータ
４００  セル
４１０  逆マルチプレクサ
４１５  バイパス線
４２０  統計値ギャザラー
４３０  逆アセンブラ
４４０  パケット
４６０  光電気変換モジュール
４７０  デシリアライザ
４８０  デフレーマ
４９０  ストリームエクストラクタ
５００  タイムスタンパ
５１０  逆マルチプレクサ
５２０  統計値ギャザラー
５３０  パケット
５５０  ＬＩＭ
【図１】
2006229946.tif 000003
【図２】
2006229946.tif 000004
【図３】
2006229946.tif 000005
【図４】
2006229946.tif 000006
【図５】
2006229946.tif 000007
【図６】
2006229946.tif 000008
【図７】
2006229946.tif 000009
【図８】
2006229946.tif 000010